(57)【要約】【課題】振分装置と接続された情報処理装置において障害が生じた場合であっても、媒体束が誤った振分先に振り分けられることを防止することができる、媒体処理装置、処理プログラム、情報処理装置、振分装置及び媒体処理システムを提供する。【解決手段】複数の媒体を処理する媒体処理装置であって、前記媒体処理装置に投入された前記複数の媒体を処理する処理部と、前記処理部により処理された前記複数の媒体を施封し、外部へ排出する施封部と、外部の情報処理装置と通信する通信部と、前記情報処理装置との間の通信に異常が生じたときは、前記処理部に対して前記処理の停止を指示する制御部と、を備える媒体処理装置を提供する。【選択図】図９
2017102507.tif 000002
【特許請求の範囲】
【請求項１】
複数の媒体を処理する媒体処理装置であって、
前記媒体処理装置に投入された前記複数の媒体を処理する処理部と、
前記処理部により処理された前記複数の媒体を施封し、外部へ排出する施封部と、
外部の情報処理装置と通信する通信部と、
前記情報処理装置との間の通信に異常が生じたときは、前記処理部に対して前記処理の停止を指示する制御部と、
を備える媒体処理装置。
【請求項２】
前記処理部は、
投入された前記複数の媒体を取り込む取込部と、
前記取込部によって取り込まれた前記複数の媒体に対して鑑別を行う鑑別部と、
前記複数の媒体を前記媒体処理装置内の各所に搬送する搬送部と、
を有し、
前記情報処理装置との間の通信に異常が生じたときは、
前記制御部は、前記取込部、前記鑑別部及び前記搬送部のうちの少なくとも１つに対して動作の停止を指示する、
請求項１に記載の媒体処理装置。
【請求項３】
前記情報処理装置との間の通信に異常が生じたときは、
前記制御部は、前記施封部に対して、施封した前記複数の媒体の排出の停止を指示する、
請求項１又は２に記載の媒体処理装置。
【請求項４】
前記通信部は、前記情報処理装置に対して定期的に信号を送信し、
前記情報処理装置から当該信号を受信したことに応じた応答信号を受信できないときは、
前記制御部は、前記情報処理装置との間の通信に異常が生じたと判断する、
請求項１から３のいずれか１項に記載の媒体処理装置。
【請求項５】
コンピュータを、
複数の媒体を処理し、処理した前記複数の媒体を施封して外部へ排出する媒体処理装置と、１つ又は複数の前記媒体処理装置と連結され、前記媒体処理装置から排出された施封済の前記複数の媒体を振分先に振り分ける振分装置と、通信する通信部と、
前記媒体処理装置で得られた前記複数の媒体に関する情報に基づいて、前記施封済の複数の媒体の前記振分先を前記振分装置に対して指示する制御部と、
として機能させ、
前記通信部は、
前記媒体処理装置から定期的に送信される信号を受信し、
当該信号を受信したことに応じた応答信号を前記媒体処理装置に送信し、
前記振分装置において異常が生じたときは、前記媒体処理装置に対して処理の停止を指示する情報、又は、前記振分装置の異常発生を知らせる情報を送信する、
処理プログラム。
【請求項６】
前記制御部は、前記媒体処理装置の鑑別部により得られた前記複数の媒体に対する鑑別結果に基づいて、前記施封済の複数の媒体の前記振分先を前記振分装置に対して指示する、
請求項５に記載の処理プログラム。
【請求項７】
複数の媒体を処理し、処理した前記複数の媒体を施封して外部へ排出する媒体処理装置と、１つ又は複数の前記媒体処理装置と連結され、前記媒体処理装置から排出された施封済の前記複数の媒体を振分先に振り分ける振分装置と、通信する通信部と、
前記媒体処理装置で得られた前記複数の媒体に関する情報に基づいて、前記施封済の複数の媒体の前記振分先を前記振分装置に対して指示する制御部と、
を備え、
前記通信部は、
前記媒体処理装置から定期的に送信される信号を受信し、
当該信号を受信したことに応じた応答信号を前記媒体処理装置に送信し、
前記振分装置において異常が生じたときは、前記媒体処理装置に対して処理の停止を指示する情報、又は、前記振分装置の異常発生を知らせる情報を送信する、
情報処理装置。
【請求項８】
１つ又は複数の媒体処理装置と連結される振分装置であって、
前記媒体処理装置から排出された施封済の複数の媒体を、当該施封済の複数の媒体に対応する振分先に振り分ける振分部と、
外部の情報処理装置と通信する通信部と、
前記情報処理装置から受信した情報に基づき、前記振分部に、前記施封済の複数の媒体に対応する前記振分先を指示する制御部と、
を備え、
前記通信部は、前記振分装置において異常が生じたときは、前記情報処理装置に対して、前記媒体処理装置による前記施封済の複数の媒体の排出の停止を誘導する情報を送信する、
振分装置。
【請求項９】
前記振分装置は、前記媒体処理装置から排出された前記施封済の複数の媒体をさらに施封する、複数の大束作成装置に連結される、請求項８に記載の振分装置。
【請求項１０】
複数の媒体を処理し、処理した前記複数の媒体を施封し、施封済の前記複数の媒体を排出する１つ又は複数の媒体処理装置と、
前記媒体処理装置から排出された前記施封済の複数の媒体をさらに施封して、大束を作成する複数の大束作成装置と、
前記１つ又は複数の媒体処理装置と前記複数の大束作成装置と連結され、前記媒体処理装置から排出された前記施封済の複数の媒体を前記大束作成装置に振り分ける振分装置と、
前記媒体処理装置で得られた前記施封済の複数の媒体に関する情報に基づいて、前記振分装置に対して、前記施封済の複数の媒体の振分先としての前記大束作成装置を指示する、情報処理装置と、
を備え、
前記媒体処理装置と前記情報処理装置との間の通信に異常が生じたときは、前記媒体処理装置は、動作を停止する、
媒体処理システム。
【請求項１１】
前記媒体処理装置は、
前記情報処理装置に対して定期的に信号を送信し、
前記情報処理装置から当該信号を受信したことに応じた応答信号を受信できないときは、
前記情報処理装置との間の通信に異常が生じたと判断する、
請求項１０に記載の媒体処理システム。
【請求項１２】
前記情報処理装置は、前記媒体処理装置の鑑別部により得られた前記施封済の複数の媒体に対する鑑別結果に基づいて、前記施封済の複数の媒体の前記振分先を前記振分装置に対して指示する、
請求項１０又は１１に記載の媒体処理システム。
【発明の詳細な説明】
【技術分野】
【０００１】
本発明は、媒体処理装置、処理プログラム、情報処理装置、振分装置及び媒体処理システムに関する。
【背景技術】
【０００２】
金融機関や店舗等において、媒体としての紙幣の金種（例えば、一万円券、５千円券等）を鑑別し、計数し、さらに、同じ金種の紙幣を所定数（施封枚数）ごとに施封して、紙幣束（媒体束）を作成し、作成した紙幣束を排出する紙幣処理装置（媒体処理装置）が利用されている。このような紙幣処理装置としては、例えば、下記の特許文献１を挙げることができる。さらに、上述のような紙幣処理装置から排出された紙幣束は、振分装置によって、複数の大束作成装置のうちの当該紙幣束に対応する大束作成装置に搬送される。この大束作成装置は、複数の紙幣束を１つに結束して大束を作成する装置であり、その一例としては、例えば、下記の特許文献２を挙げることができる。また、紙幣処理装置から排出された紙幣束を大束作成装置に振り分ける振分装置は、紙幣処理装置に接続されたＰＣ（Ｐｅｒｓｏｎａｌ  Ｃｏｍｐｕｔｅｒ）等の情報処理装置からの指示に基づき、当該紙幣束の振分先として、当該紙幣束に対応する大束作成装置に当該紙幣束を振り分ける。
【先行技術文献】
【特許文献】
【０００３】
【特許文献１】特開２０１１−１１３１５２号公報
【特許文献２】特開２０１４−２２３９２４号公報
【発明の概要】
【発明が解決しようとする課題】
【０００４】
従来の紙幣処理装置（媒体処理装置）は、当該紙幣処理装置から排出された紙幣束（媒体束）を振り分ける振分装置及び当該振分装置と接続された情報処理装置からは独立して動作する。従って、例えば、当該情報処理装置において障害が生じ、当該情報処理装置が振分装置に対して振分先の指示を行うことができなくなった場合であっても、紙幣処理装置は、紙幣束を作成し、作成した紙幣束を排出し続ける。その結果、従来技術においては、振分装置は、情報処理装置により適切な振分先についての指示を受けることがないため、直前に指示された振分先を紙幣束の振分先として維持し、紙幣処理装置から排出された紙幣束は、振分装置によって、維持された振分先に振り分けられる。この際、紙幣束が誤った振分先に振り分けられることがあり、このことが問題であった。
【０００５】
そこで、本発明は、上記問題に鑑みてなされたものであり、本発明の目的とするところは、振分装置と接続された情報処理装置に障害が生じた場合であっても、媒体束が誤った振分先に振り分けられることを防止することができる、新規かつ改良された媒体処理装置、処理プログラム、情報処理装置、振分装置及び媒体処理システムを提供することにある。
【課題を解決するための手段】
【０００６】
上記課題を解決するために、本発明のある観点によれば、複数の媒体を処理する媒体処理装置であって、前記媒体処理装置に投入された前記複数の媒体を処理する処理部と、前記処理部により処理された前記複数の媒体を施封し、外部へ排出する施封部と、外部の情報処理装置と通信する通信部と、前記情報処理装置との間の通信に異常が生じたときは、前記処理部に対して前記処理の停止を指示する制御部と、を備える媒体処理装置が提供される。
【０００７】
前記処理部は、投入された前記複数の媒体を取り込む取込部と、前記取込部によって取り込まれた前記複数の媒体に対して鑑別を行う鑑別部と、前記複数の媒体を前記媒体処理装置内の各所に搬送する搬送部と、を有し、前記情報処理装置との間の通信に異常が生じたときは、前記制御部は、前記取込部、前記鑑別部及び前記搬送部のうちの少なくとも１つに対して動作の停止を指示してもよい。
【０００８】
前記情報処理装置との間の通信に異常が生じたときは、前記制御部は、前記施封部に対して、施封した前記複数の媒体の排出の停止を指示してもよい。
【０００９】
前記通信部は、前記情報処理装置に対して定期的に信号を送信し、前記情報処理装置から当該信号を受信したことに応じた応答信号を受信できないときは、前記制御部は、前記情報処理装置との間の通信に異常が生じたと判断してもよい。
【００１０】
上記課題を解決するために、本発明の別の観点によれば、コンピュータを、複数の媒体を処理し、処理した前記複数の媒体を施封して外部へ排出する媒体処理装置と、１つ又は複数の前記媒体処理装置と連結され、前記媒体処理装置から排出された施封済の前記複数の媒体を振分先に振り分ける振分装置と、通信する通信部と、前記媒体処理装置で得られた前記複数の媒体に関する情報に基づいて、前記施封済の複数の媒体の前記振分先を前記振分装置に対して指示する制御部と、として機能させ、前記通信部は、前記媒体処理装置から定期的に送信される信号を受信し、当該信号を受信したことに応じた応答信号を前記媒体処理装置に送信し、前記振分装置において異常が生じたときは、前記媒体処理装置に対して処理の停止を指示する情報、又は、前記振分装置の異常発生を知らせる情報を送信する、処理プログラムが提供される。
【００１１】
前記制御部は、前記媒体処理装置の鑑別部により得られた前記複数の媒体に対する鑑別結果に基づいて、前記施封済の複数の媒体の前記振分先を前記振分装置に対して指示してもよい。
【００１２】
また、上記課題を解決するために、本発明の別の観点によれば、複数の媒体を処理し、処理した前記複数の媒体を施封して外部へ排出する媒体処理装置と、１つ又は複数の前記媒体処理装置と連結され、前記媒体処理装置から排出された施封済の前記複数の媒体を振分先に振り分ける振分装置と、通信する通信部と、前記媒体処理装置で得られた前記複数の媒体に関する情報に基づいて、前記施封済の複数の媒体の前記振分先を前記振分装置に対して指示する制御部と、を備え、前記通信部は、前記媒体処理装置から定期的に送信される信号を受信し、当該信号を受信したことに応じた応答信号を前記媒体処理装置に送信し、前記振分装置において異常が生じたときは、前記媒体処理装置に対して処理の停止を指示する情報、又は、前記振分装置の異常発生を知らせる情報を送信する、情報処理装置が提供される。
【００１３】
また、上記課題を解決するために、本発明のさらなる別の観点によれば、１つ又は複数の媒体処理装置と連結される振分装置であって、前記媒体処理装置から排出された施封済の複数の媒体を、当該施封済の複数の媒体に対応する振分先に振り分ける振分部と、外部の情報処理装置と通信する通信部と、前記情報処理装置から受信した情報に基づき、前記振分部に、前記施封済の複数の媒体に対応する前記振分先を指示する制御部と、を備え、前記通信部は、前記振分装置において異常が生じたときは、前記情報処理装置に対して、前記媒体処理装置による前記施封済の複数の媒体の排出の停止を誘導する情報を送信する、振分装置が提供される。
【００１４】
前記振分装置は、前記媒体処理装置から排出された前記施封済の複数の媒体をさらに施封する、複数の大束作成装置に連結されてもよい。
【００１５】
さらに、上記課題を解決するために、本発明のさらなる別の観点によれば、複数の媒体を処理し、処理した前記複数の媒体を施封し、施封済の前記複数の媒体を排出する１つ又は複数の媒体処理装置と、前記媒体処理装置から排出された前記施封済の複数の媒体をさらに施封して、大束を作成する複数の大束作成装置と、前記１つ又は複数の媒体処理装置と前記複数の大束作成装置と連結され、前記媒体処理装置から排出された前記施封済の複数の媒体を前記大束作成装置に振り分ける振分装置と、前記媒体処理装置で得られた前記施封済の複数の媒体に関する情報に基づいて、前記振分装置に対して、前記施封済の複数の媒体の振分先としての前記大束作成装置を指示する、情報処理装置と、を備え、前記媒体処理装置と前記情報処理装置との間の通信に異常が生じたときは、前記媒体処理装置は、動作を停止する、媒体処理システムが提供される。
【００１６】
前記媒体処理装置は、前記情報処理装置に対して定期的に信号を送信し、前記情報処理装置から当該信号を受信したことに応じた応答信号を受信できないときは、前記情報処理装置との間の通信に異常が生じたと判断してもよい。
【００１７】
前記情報処理装置は、前記媒体処理装置の鑑別部により得られた前記施封済の複数の媒体に対する鑑別結果に基づいて、前記施封済の複数の媒体の前記振分先を前記振分装置に対して指示してもよい。
【発明の効果】
【００１８】
以上説明したように本発明によれば、振分装置と接続された情報処理装置において障害が生じた場合であっても、媒体束が誤った振分先に振り分けられることを防止することができる。
【図面の簡単な説明】
【００１９】
【図１】本発明の実施形態に係る紙幣処理システム１の構成例を示した説明図である。
【図２】同実施形態に係る情報処理装置２０のブロック図である。
【図３】同実施形態に係る振分装置３０のブロック図である。
【図４】同実施形態に係る紙幣処理装置１０の構成例を示した説明図である。
【図５】同実施形態に係る施封部１１４の構成例を示した説明図である。
【図６】同実施形態に係る紙幣処理装置１０のブロック図である。
【図７】同実施形態に係る紙幣処理システム１の動作シーケンスの一例を説明するシーケンス図（その１）である。
【図８】同実施形態に係る紙幣処理システム１の動作シーケンスの一例を説明するシーケンス図（その２）である。
【図９】同実施形態に係る紙幣処理システム１の動作シーケンスの一例を説明するシーケンス図（その３）である。
【図１０】同実施形態の変形例に係る紙幣処理システム１の動作シーケンスの一例を説明するシーケンス図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
以下の説明においては、金融機関や店舗等のバックヤードにおいて、紙幣を鑑別して、計数し、鑑別結果に基づいて紙幣を集積し、集積した紙幣を施封枚数ごとに施封する紙幣処理装置に本発明の実施形態を適用した場合について説明する。なお、以下に説明する実施形態は、紙幣処理装置に適用することに限定されるものではなく、金融機関、店舗等で使用される硬貨を処理する硬貨処理装置や自動釣銭機等の取引装置に適用してもよく、もしくは、店舗や公共施設等で、媒体をその種類ごとに分類し、整理し、施封する機構を有する媒体処理装置に適用してもよい。また、以下に説明する実施形態においては、媒体は紙幣に限定されるものではなく、例えば硬貨であってもよく、特に限定されない。
【００２２】
＜紙幣処理システム１の基本構成＞
最初に、図１から図３を参照して、本発明の実施形態に係る紙幣処理システム（媒体処理システム）１の基本構成を説明する。図１は、本実施形態に係る紙幣処理システム１の構成例を示した説明図である。図２は、本実施形態に係る情報処理装置２０のブロック図である。また、図３は、本実施形態に係る振分装置３０のブロック図である。
【００２３】
図１に示すように、本実施形態に係る紙幣処理システム１は、紙幣処理装置（媒体処理装置）１０と、情報処理装置２０と、振分装置３０と、大束作成装置４０と、専用網５０とを含む。図１のように構成された紙幣処理システム１においては、紙幣処理装置１０により、複数の紙幣を鑑別し、鑑別結果に基づいて複数の紙幣を集積し、集積した施封枚数の紙幣を施封して紙幣束（施封済の複数の紙幣）を作成する。さらに、振分装置３０は、情報処理装置２０の指示により、紙幣処理装置１０により作成された紙幣束を、当該紙幣束に対応する大束作成装置４０に振り分ける。そして、当該大束作成装置４０は、所定の数の紙幣束をさらに施封して大束を作成する。なお、図１においては、簡略化のため、紙幣処理システム１に含まれる紙幣処理装置１０及び大束作成装置４０は、それぞれ３台及び２台しか示されていないが、本実施形態においては、紙幣処理システム１に含まれる紙幣処理装置１０及び大束作成装置４０の台数は図１に示される台数に限定されるものではなく、紙幣処理システム１には、紙幣処理装置１０が１台以上、大束作成装置４０が２台以上含まれていればよい。
【００２４】
（紙幣処理装置１０）
紙幣処理装置１０は、紙幣処理装置１０に投入された複数の紙幣を処理する装置であって、詳細には、複数の紙幣を取込み、取り込んだ複数の紙幣を鑑別し、鑑別により得られた鑑別結果に基づいて複数の紙幣を集積し、所定の数の紙幣（施封枚数の紙幣）が集積された場合には、集積された紙幣を施封して紙幣束を作成し、作成した紙幣束を外部へ排出する装置である。このような紙幣処理装置１０は、金融機関や店舗等のバックヤード等に設置される。なお、紙幣処理装置１０の詳細については、後で説明する。
【００２５】
（情報処理装置２０）
情報処理装置２０は、紙幣処理装置１０と、後述する振分装置３０と通信することにより、振分装置３０を制御する制御端末である。詳細には、情報処理装置２０は、紙幣処理装置１０から送信された、紙幣処理装置１０にて得られた紙幣に関する情報（鑑別結果）に基づいて、振分装置３０に対して、紙幣束の振分先に関する情報（例えば、後述する大束作成装置４０を振分先として決定する）を送信する。情報処理装置２０は、図２に示すように、紙幣処理装置１０及び振分装置３０との間で通信を行う外部インターフェース部（通信部）２２４と、外部インターフェース部２２４を制御する制御部２２６とを有する。外部インターフェース部２２４は、後述する専用網５０を介して、例えば、紙幣処理装置１０等との間で通信を行う通信インターフェースであり、具体的には、外部インターフェース部２２４は、外部装置からの指示を受け取ったり、外部装置へ情報を通信したりすることができる。また、制御部２２６は、ＣＰＵ（Ｃｅｎｔｒａｌ  Ｐｒｏｃｅｓｓｉｎｇ  Ｕｎｉｔ）を中心に構成されており、外部インターフェース部（通信部）２２４を介して、振分装置３０に対して紙幣束の振分先に関する指示を行う等、振分装置３０の制御を行うことができる。さらに、情報処理装置２０は、例えばＰＣ（Ｐｅｒｓｏｎａｌ  Ｃｏｍｐｕｔｅｒ）等から構成されることができる。
【００２６】
（振分装置３０）
振分装置３０は、１つ又は複数の紙幣処理装置１０と連結され、紙幣処理装置１０から排出された紙幣束を、当該紙幣束に対応する振分先である大束作成装置４０へ振り分ける装置である。詳細には、振分装置３０は、図３に示すように、上述の情報処理装置２０と通信する外部インターフェース部（通信部）３２４と、後述する振分部３６０に紙幣束に対応する振分先を指示する制御部３２６と、紙幣束を当該紙幣束に対応する振分先である大束作成装置４０に振り分ける振分部３６０と、振分部３６０によって搬送され、振り分けられる紙幣束を検知する検知部３６２と、有する。
【００２７】
詳細には、外部インターフェース部３２４は、後述する専用網５０を介して、情報処理装置２０等との間で通信を行う通信インターフェースである。また、制御部３２６は、ＣＰＵを中心に構成されており、振分装置３０の各機能部の制御を行うことができる。例えば、制御部３２６は、情報処理装置２０から受信した情報に基づき、振分部３６０に対して紙幣束の振分先を指示する。
【００２８】
また、振分部３６０は、紙幣処理装置１０から振分装置３０を介して大束作成装置４０まで枝状に延びて、紙幣束を搬送する搬送路３３２（図１参照）と、複数のローラ（図示省略）と、紙幣束を案内する複数の切替部（図示省略）とを有する。各ローラは、例えばベルトコンベアのような搬送路を挟んで対向するように配置され、制御部３２６により制御され各ローラが回転することにより、搬送路３３２が所定の方向に移動し、紙幣束を搬送することができる。さらに、搬送路３３２に接して設けられた切替部を移動させることにより、紙幣束の搬送方向を切り替えることができる。また、検知部３６２は、搬送路３３２の各所に複数設けられ、搬送路３３２における紙幣束の搬送状態を検知し、得られた検知結果を制御部３２６に出力する。例えば、当該検知部３６２としては、紙幣束により光が遮られることにより搬送状態を検知する受発光センサからなる光学式センサ等を用いることができる。
【００２９】
（大束作成装置４０）
複数の大束作成装置４０は、振分装置３０に連結され、振分装置３０によって振り分けられた紙幣束を集積し、集積された紙幣束が所定の数（施封数）に達した場合には、施封数の紙幣束を施封し、大束を作成する装置である。なお、大束作成装置４０の基本的な構成は、後述する紙幣処理装置１０の施封部１１４と同様の構成であるため、ここでは、大束作成装置４０の基本的構成についての説明を省略する。
【００３０】
（専用網５０）
専用網５０は、所定の範囲内での情報の送受信に利用されるネットワークである。専用網５０は、有線又は無線であることができ、例えば、インターネット、ＩＰ−ＶＰＮ（Ｉｎｔｅｒｎｅｔ  Ｐｒｏｔｏｃｏｌ‐Ｖｉｒｔｕａｌ  Ｐｒｉｖａｔｅ  Ｎｅｔｗｏｒｋ）、専用回線、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）などの任意の通信ネットワークから構成される。さらに、専用回線は、ＩＰ−ＶＰＮ等から構成される。また、専用網５０に対して、何らかのセキュリティ手段（例えば、Ｓｅｃｕｒｅ  Ｓｏｃｋｅｔｓ  Ｌａｙｅｒ（ＳＳＬ）等）が施されていてもよい。
【００３１】
＜紙幣処理装置１０の基本構成＞
本実施形態に係る紙幣処理装置１０の基本構成について説明する。紙幣処理装置１０は、紙幣処理装置１０に投入された紙幣を処理するための装置であり、詳細には、紙幣処理装置１０に投入された紙幣を鑑別し、計数し、得られた鑑別結果に基づいて紙幣を金種ごとに集積し、集積された紙幣を施封枚数ごとに施封して、紙幣束の作成し、作成した紙幣束を排出する。まずは、紙幣処理装置１０の基本構成を示した説明図である図４、施封部１１４の基本構成を示した施封部１１４の断面図である図５、及び紙幣処理装置１０における制御系のブロック図である図６を参照して、紙幣処理装置１０の基本構成について説明する。なお、図４及び図５においては、紙幣処理装置１０の操作者は、紙幣処理装置１０の左側に位置するものとする。
【００３２】
本実施形態に係る紙幣処理装置１０は、図４に示すように、取込部１００、鑑別部１０２、リジェクトポケット１０４、オープンポケット１０６、表裏反転部１０８、集積部１１０、移送部１１２、施封部１１４、搬送部１１６、操作表示部１１８、操作部１２０、記憶部１２２、外部インターフェース部（通信部）１２４、制御部１２６、扉１２８、及び排出口１６４を主に有する。
【００３３】
（取込部１００）
取込部１００は、操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出され、さらに後述する鑑別部１０２へ搬送される。なお、取込部１００は、ビルプレス１５８の移動量を検知するセンサ（図示省略）等を有することによって、紙幣処理装置１０に投入された全ての紙幣の処理の完了（投入完了）を検知することができるように構成してもよい。
【００３４】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種（紙幣の種類）、正券（例えば、汚れが少ない紙幣）であるか損券（例えば、汚れが多い紙幣）であるかといった紙幣の正損状態、鑑別時における紙幣の表裏の向きを鑑別することができ、その鑑別結果は、後述する記憶部１２２及び制御部１２６に出力される。さらに、鑑別部１０２は、紙幣に記載された記番号を読み取ることもでき、読み取った記番号と紐づけて、上記鑑別結果を記憶部１２２及び制御部１２６に出力してもよい。なお、鑑別部１０２により鑑別された紙幣は、鑑別部１０２から排出され、鑑別結果に基づいて搬送先（例えば各集積部１１０）に搬送される。
【００３５】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図４に示した例においては、リジェクトポケット１０４は、紙幣処理装置１０内の上方に設けられており、リジェクトポケット１０４に格納された紙幣を、操作者が容易に回収することが可能である。
【００３６】
（オープンポケット１０６）
オープンポケット１０６は、本実施形態における施封対象外紙幣格納部の一例である。鑑別部１０２による鑑別結果が、リジェクトポケット１０４への搬送対象外で、かつ、予め紙幣処理装置１０における施封対象もしくは後述する集積部１１０に集積される集積対象と定められている券種に該当しない場合には、鑑別され、搬送された紙幣は、オープンポケット１０６に格納される。オープンポケット１０６に格納される紙幣としては、例えば、予め施封対象と定められている券種が国内紙幣と定められている場合には、海外紙幣がその一例として挙げられる。また、オープンポケット１０６は、図４に示した例においては、紙幣処理装置１０内の上方に設けられており、格納された紙幣を操作者が容易に回収することが可能である。なお、図４においては、オープンポケット１０６が２つ設けられているが、本実施形態においては、オープンポケット１０６の数が２つに限定されるものではなく、１つ以上あればよい。
【００３７】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０に集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。そして、表裏反転部１０８は、基本的には、搬送先が各集積部１１０である紙幣だけが搬送される。
【００３８】
（集積部１１０）
各集積部１１０は、基本的には、鑑別部１０２による鑑別結果が予め施封対象と定められている券種に該当する場合に、鑑別部１０２により鑑別された紙幣が搬送され、かつ、搬送された紙幣を金種ごと、及び／又は、正損状態ごとに、集積する部位である。各集積部１１０は、例えば操作者側に設けられた扉１２８を開けることによって、操作者によって引き出されることができる。扉１２８には、電磁ロック等の施錠機構（図示省略）及び扉１２８の開閉を検知する開閉センサ（図示省略）が設けられており、後述の制御部１２６が、施錠機構及び開閉センサを制御することにより、扉１２８の施錠を制御し、操作者による扉１２８の開閉を検知することができる。また、各集積部１１０は、予め定められた施封枚数（例えば１００枚）まで紙幣を集積することが可能である。そして、各集積部１１０に集積されている紙幣の枚数が施封枚数に達した場合であって、集積された紙幣の券種が施封するように設定された券種である場合には、集積されている紙幣は全て移送部１１２に搬送される。なお、図４の例においては、紙幣処理装置１０内の下方に、５個の集積部１１０が縦一列に設けられているが、本実施形態においては、５個の集積部１１０に限定されるものではなく、集積部１１０は、紙幣処理装置１０内に少なくとも２個以上設けられていればよい。
【００３９】
また、各集積部１１０には、集積された紙幣の容量を検知するための集積部用検知部（図示省略）が設けられている。集積部用検知部は、例えば光学式センサであることができ、集積部１１０に集積された紙幣によって光が遮られることにより集積された紙幣の容量を検知することができる。そして、集積部用検知部は、取得した検知結果を制御部１２６に出力する。制御部１２６は、制御部１２６へと検知結果を出力した集積部用検知部の設置位置により、どの集積部１１０に集積された紙幣の容量の検知結果であるかを認識することができ、さらに、集積部１１０における集積部用検知部の設置高さにより、その高さにまで紙幣が集積されたこと、すなわち、集積された紙幣の容量を認識することができる。具体例としては、集積部用検知部が予め定められた施封枚数に対応する高さに設置されており、当該集積部用検知部が集積された紙幣によって光が遮られていることを検知した場合には、当該集積部用検知部の検知に基づいて、制御部１２６は、集積部１１０内に予め定められた施封枚数の紙幣が集積されていると認識することができる。
【００４０】
（移送部１１２）
移送部１１２は、各集積部１１０から搬送された施封枚数の紙幣を施封部１１４へ移送する部位である。図４においては簡略化して示しているが、移送部１１２は、紙幣処理装置１０内に設けられ、紙幣処理装置１０の内部を図４の上下方向に集積部１１０と施封部１１４との間を移動し、各集積部１１０から施封枚数の紙幣を、クランプ部１１２ａを用いてクランプして抜き取り、施封部１１４に受け渡す。
【００４１】
（施封部１１４）
施封部１１４は、紙幣処理装置１０内に設けられ、移送部１１２から移送された施封枚数の紙幣に対して例えばテープＴ（結束帯）を巻き付けて施封することにより、紙幣束を作成する。詳細には、図５の施封部１１４の拡大断面図に示すように、施封部１１４は、紙幣束Ｂを施封部１１４から、操作者側（図４中では左側）に位置する排出口１６４へ搬送するための紙幣束搬送部１３０と、紙幣束Ｂを施封するテープＴを供給するテープ供給部１４０と、テープＴを切断する切断部１４２と、テープＴで紙幣を施封する施封機構１４４と、テープＴに制御部１２６の指示に従って標識等を印字する印字部１４６とを有する。なお、図５においては、テープＴは帯状に示されている。
【００４２】
詳細には、紙幣束搬送部１３０は、紙幣束Ｂを挟み込んで、紙幣束Ｂを排出口１６４（図４参照、図５では図示省略）へ、すなわち操作者の側へ搬送するような搬送路１３２と、回転することによって搬送路１３２を搬送方向（図５中では矢印で示されている）へ動かすローラ１４８と、ローラ１４８を回転させるモータ（図示省略）とを主に有する。また、紙幣束搬送部１３０は、移送部１１２から施封枚数（例えば、１００枚）の紙幣を、搬送路１３２の排出口１６４とは反対側（図５においては、搬送路１３２の右端部）で受けとり、搬送路１３２の中央部にある施封機構１４４が位置する箇所までこれらの紙幣を一括して搬送する。搬送路１３２の中央部においては、テープ供給部１４０は施封機構１４４にテープＴを供給し、施封機構１４４はこれらの紙幣を一括してテープＴで施封して、紙幣束Ｂを作成する。その際、印字部１４６は、インクリボン等を用いて、テープＴに制御部１２６の指示に従って所定の情報（紙幣の施封を行った金融機関の名称、紙幣束に損券が含まれている旨を示す標識、紙幣の施封処理に係る整理番号等）を印字する。そして、供給されたテープＴは切断部１４２により所定の長さに切断される。さらに、テープＴにより施封された複数の紙幣は、紙幣束搬送部１３０により、紙幣束として、紙幣処理装置１０の外部にある振分装置３０に受け渡される。なお、紙幣束搬送部１３０の搬送路１３２とローラ１４８とは、一括して搬送する紙幣の数が変更になった場合であっても紙幣を一括して搬送することができるように、例えば、図５中の上下方向に昇降可能である。
【００４３】
（搬送部１１６）
搬送部１１６は、紙幣を各集積部１１０等の紙幣処理装置１０内の各所へ搬送する。詳細には、搬送部１１６は、図４中では帯状に示され、取込部１００から、鑑別部１０２及び表裏反転部１０８を貫き、集積部１１０等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１２６により制御され各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００４４】
（操作表示部１１８）
操作表示部１１８は、本実施形態における表示部の一例である。操作表示部１１８は、図４においては、紙幣処理装置１０の上に位置し、操作者と向かい合う。さらに、操作表示部１１８は、紙幣処理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１１８は、後述する制御部１２６の制御に従って、各種の操作画面、計数結果、紙幣の正損状態やエラーメッセージなどを表示し、さらに、操作者による紙幣処理装置１０に対する各種の入力操作（動作モードの設定入力、集積部１１０に集積する紙幣の種類等の設定入力等）を受け付け、受け付けた内容を制御部１２６に出力する。なお、操作表示部１１８の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が紙幣処理装置１０の外部に位置していてもよい。
【００４５】
（操作部１２０）
操作部１２０は、本実施形態における操作部の一例である。操作部１２０は、図４においては、紙幣処理装置１０の上に位置する。操作部１２０には、例えば、紙幣処理装置１０を起動させる機械式ボタン（図示省略）、紙幣処理装置１０による紙幣の計数を開始し、停止させる機械式ボタン（図示省略）、紙幣処理装置１０による紙幣の施封を開始し、停止させる機械式ボタン（図示省略）、紙幣処理装置１０に障害が生じた場合に紙幣処理装置１０を再稼働させる機械式のリセットボタン（図示省略）等を含むことができる。また、操作部１２０には、紙幣処理装置１０の処理状態を示すランプ（図示省略）が取り付けられており、例えば、当該ランプは、処理中には緑色に発光し、障害が発生した場合には赤色に発光することができる。なお、これらの操作部１２０の機能は、上述の操作表示部１１８によって実現してもよい。
【００４６】
（記憶部１２２）
記憶部１２２は、例えば紙幣処理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２２は、例えば、制御部１２６が使用する制御プログラム、制御部１２６が用いる各種情報や鑑別部１０２による鑑別の際に用いられる情報が格納されるほか、操作者によって上述の操作表示部１１８を用いて設定された設定内容、鑑別部１０２による鑑別結果、計数結果および鑑別された紙幣に関する処理状況が紙幣に対応づけて記憶される。より具体的には、記憶部１２２に記憶される鑑別結果としては、紙幣の金種、紙幣の正損状態、紙幣の表裏、搬送先等が挙げられる。ここで、表裏とは、鑑別時における該当の紙幣の表裏の向きのことであり、搬送先とは、該当の紙幣が搬送される格納先のことであり、例えば集積部１１０である。なお、記憶部１２２は、紙幣処理装置１０の外部に設けられ、紙幣処理装置１０と通信ネットワークで接続されていてもよい。
【００４７】
（外部インターフェース部１２４）
外部インターフェース部１２４は、例えば紙幣処理装置１０内に設けられ、例えば通信ネットワークを介して外部装置との間で通信を行う通信インターフェースである。具体的には、外部インターフェース部１２４は、例えば外部の情報処理装置２０からの指示を受け取ったり、情報処理装置２０へ情報を通信したりすることができる。なお、外部インターフェース部１２４は、紙幣処理装置１０の外部に設けられ、紙幣処理装置１０と通信ネットワークで接続されていてもよい。
【００４８】
（制御部１２６）
制御部１２６は、例えば紙幣処理装置１０内に設けられ、ＣＰＵを中心に構成されており、計数処理等の種々の処理のための制御を行うことができる。詳細には、図６に示す、紙幣処理装置１０における制御系のブロック図のように、制御部１２６は、操作表示部１１８からの入力や外部インターフェース部１２４が受け入れた外部装置（例えば、情報処理装置２０）からの情報に基づいて、記憶部１２２から所定のプログラムを読み出して実行することにより、操作表示部１１８、鑑別部１０２等の紙幣処理装置１０の各所を制御することができる。例えば、制御部１２６は、鑑別部１０２による紙幣の鑑別結果に基づいて、紙幣の金種ごとに紙幣を計数したり、紙幣の搬送先を決定したりすることができる。
【００４９】
なお、本実施形態に係る紙幣処理装置１０においては、図４に図示されていないが、紙幣検知部を紙幣処理装置１０内の搬送部１１６の各所に複数設けてもよい。紙幣検知部は、搬送部１１６における紙幣の搬送状態を検知し、得られた検知結果を制御部１２６に出力する。例えば、紙幣検知部としては、紙幣により光が遮られることにより搬送状態を検知する受発光センサからなる光学式センサ等を用いることができる。
【００５０】
＜本実施形態の動作例＞
以上、本実施形態に係る紙幣処理システム１及び紙幣処理装置１０の基本構成について説明した。続いて、本実施形態に係る紙幣処理システム１及び紙幣処理装置１０の動作例について、図７から図９を参照して説明する。図７から図９は、本実施形態による紙幣処理システム１の動作の一例を示したシーケンス図である。
【００５１】
まずは、図７を参照して、紙幣処理システム１の基本動作を説明する。紙幣処理システム１で行われる基本動作の一連の流れを要約すると、紙幣処理装置１０にて、複数の紙幣を処理し、施封して紙幣束を作成し、次に、振分装置３０にて、作成された紙幣束を当該紙幣束に対応する大束作成装置４０に振り分け、さらに、大束作成装置４０にて、所定の数（施封数）の紙幣束をさらに施封する。以下に、この一連の流れの詳細を、ステップＳ１０１からステップＳ１１９として説明する。
【００５２】
（ステップＳ１０１）
紙幣処理装置１０の取込部１００は、操作者によって投入された紙幣の取り込みを開始する。次いで、ステップＳ１０３へ進む。
【００５３】
（ステップＳ１０３）
紙幣処理装置１０の搬送部１１６は、取込部１００で取り込んだ紙幣を鑑別部１０２へ搬送する。そして、鑑別部１０２は、搬送部１１６によって搬送された紙幣の金種、正損状態、搬送状態（紙幣の表側がどちらを向いているか）等を鑑別し、鑑別結果を制御部１２６に出力する。制御部１２６は、鑑別結果に基づいて、紙幣の搬送先（例えば、紙幣処理装置１０の集積部１１０）を決定する。そして、搬送部１１６は、制御部１２６の決定に従い、紙幣を決定した搬送先に搬送する。この際、記憶部１２２は、各紙幣の鑑別結果及び決定された搬送先を、当該紙幣と紐づけて記憶する。次いで、ステップＳ１０５へ進む。
【００５４】
（ステップＳ１０５）
決定された搬送先である集積部１１０は、搬送された紙幣を集積する。次いで、ステップＳ１０７へ進む。
【００５５】
（ステップＳ１０７）
紙幣処理装置１０の制御部１２６は、集積部１１０に設けられた集積部用検知部（図示省略）が集積部１１０に施封枚数（例えば１００枚）の紙幣が集積したことを検知した場合には、集積された施封枚数の紙幣を施封部１１４へ移送するように移送部１１２に指示する。移送部１１２は、制御部１２６の指示に従い、施封枚数の紙幣を施封部１１４へ移送する。そして、施封部１１４の施封機構１４４は、あらかじめ標識等が押印されたテープＴを用いて、移送された施封枚数の紙幣を施封して、紙幣束を作成する。さらに、施封部１１４は、施封した紙幣束を排出口１６４から排出し、振分装置３０の搬送路３３２に受け渡す。この際、紙幣処理装置１０の制御部１２６は、外部インターフェース部１２４を介して、受け渡した紙幣束に関する情報（例えば、金種、正損状態等の鑑別結果）を情報処理装置２０へ送信する。なお、上記の説明においては、標識を押印したテープＴを用いて施封枚数の紙幣を施封するように説明したが、本実施形態においては、これに限定されるものではなく、施封枚数の紙幣をテープＴで施封した後に、当該テープＴに標識を押印してもよい。次いで、ステップＳ１０９へ進む。
【００５６】
（ステップＳ１０９）
情報処理装置２０の制御部２２６は、外部インターフェース２２４を介して、紙幣処理装置１０から振分装置３０に受け渡された紙幣束に関する情報を受信し、受信した情報に基づいて、紙幣束の振分先（例えば、大束作成装置４０）を決定する。例えば、紙幣処理システム１中に２台の大束作成装置４０が含まれ、一方の大束作成装置４０は正券の紙幣束を施封して大束を作成し、他方の大束作成装置４０は損券の紙幣束を施封して大束を作成するようにあらかじめ決められているような場合には、制御部２２６は、受信した情報を参照して、紙幣処理装置１０から受け渡された紙幣束が正券の紙幣束か損券の紙幣束かを判断し、紙幣処理装置１０から受け渡された紙幣束が正券の紙幣束であった場合には、上記一方の大束作成装置４０を当該紙幣束の振分先として決定し、紙幣処理装置１０から受け渡された紙幣束が損券の紙幣束であった場合には、上記他方の大束作成装置４０を当該紙幣束の振分先として決定する。なお、本実施形態においては、紙幣束の正損状態応じて振分先の大束作成装置４０を決定することに限定されるものではなく、例えば、あらかじめ金種ごとに大束作成装置４０が割り振られており、制御部２２６は、受信した鑑別結果に含まれる金種の鑑別結果に基づいて、振分先の大束作成装置４０を決定してもよい。次いで、ステップＳ１１１へ進む。
【００５７】
（ステップＳ１１１）
情報処理装置２０の制御部２２６は、外部インターフェース部２２４を介して、決定した紙幣束の振分先に関する情報（例えば、振分先の大束作成装置を特定する特定情報）を振分装置３０へ出力する。次いで、ステップＳ１１３へ進む。
【００５８】
（ステップＳ１１３）
振分装置３０の振分部３６０は、紙幣処理装置１０から紙幣束を受け入れる。次いで、ステップＳ１１５へ進む。
【００５９】
（ステップＳ１１５）
振分装置３０の制御部３２６は、外部インターフェース３２４を介して、情報処理装置２０から、受け入れた紙幣束の振分先に関する情報を受信し、受信した情報に従って、紙幣束を、当該紙幣束の振分先として決定された大束作成装置４０に搬送する。次いで、ステップＳ１１７へ進む。
【００６０】
（ステップＳ１１７）
大束作成装置４０は、振分装置３０から紙幣束を受け入れる。次いで、ステップＳ１１９へ進む。
【００６１】
（ステップＳ１１９）
大束作成装置４０は、施封数（例えば１０束）の紙幣束を受け入れた場合には、テープＴ等を用いて施封数の紙幣束を施封して、大束を作成する。このように、操作者より投入された全ての紙幣に対する処理が完了するまで、紙幣処理システム１は、上述の一連のステップＳ１０１からステップＳ１１９を繰り返す。
【００６２】
そして、紙幣処理システム１がこのような上述の一連のステップＳ１０１からステップＳ１１９を繰り返す間に、紙幣処理装置１０と情報処理装置２０との間では、両者の間での通信の状態を確認するために、図８に示されるシーケンスが定期的に繰り返される。以下に、図８を参照して、紙幣処理装置１０と情報処理装置２０との間での通信の状態を確認するための紙幣処理システム１の動作を説明する。
【００６３】
（ステップＳ２０１）
紙幣処理装置１０の制御部１２６は、外部インターフェース１２４を介して、情報処理装置２０に対して、紙幣処理装置１０と情報処理装置２０との間の通信の状態を確認するための信号を送信する。次いで、ステップＳ２０３へ進む。
【００６４】
（ステップＳ２０３）
情報処理装置２０の制御部２２６は、外部インターフェース２２４を介して、紙幣処理装置１０から、紙幣処理装置１０と情報処理装置２０との間の通信の状態を確認するための信号を受信する。次いで、ステップＳ２０５へ進む。
【００６５】
（ステップＳ２０５）
情報処理装置２０の制御部２２６は、紙幣処理装置１０と情報処理装置２０との間の通信の状態を確認するための信号を受信したことに基づき、外部インターフェース２２４を介して、上記信号を受信したことに応じた応答信号を紙幣処理装置１０に送信する。次いで、ステップＳ２０７へ進む。
【００６６】
（ステップＳ２０７）
紙幣処理装置１０の制御部１２６は、外部インターフェース１２４を介して、情報処理装置２０から、応答信号を受信する。この応答信号を受信することにより、紙幣処理装置１０は、紙幣処理装置１０と情報処理装置２０との間の通信が正常に確保されていることを確認することができる。
【００６７】
なお、この一連のステップＳ２０１からステップＳ２０７までの流れは、紙幣処理システム１が動作している間、定期的（例えば、２００ｍ秒ごとに）に繰り返し実施され、紙幣処理システム１が動作している間に紙幣処理装置１０と情報処理装置２０との間の通信が正常に確保されていることを確認する。なお、上述の紙幣処理装置１０と情報処理装置２０との間の通信が正常に確保されていることを確認する方法は、通信が正常に確保されていることを確認するための方法の一例に過ぎず、本実施形態においては、紙幣処理装置１０と情報処理装置２０との間の通信が正常に確保されていることを確認する方法は、上述の方法に限定されるものではなく、他の方法であってもよい。
【００６８】
ところで、紙幣処理システム１が動作している間に、情報処理装置２０に障害が発生して、情報処理装置２０内での処理が停止する、すなわち、情報処理装置２０がフリーズしてしまうことがある。以下に、そのような場合における、紙幣処理システム１の動作を、図９を参照して説明する。
【００６９】
（ステップＳ３０１）
紙幣処理装置１０の制御部１２６は、図８のステップＳ２０１と同様に、外部インターフェース１２４を介して、情報処理装置２０に対して、紙幣処理装置１０と情報処理装置２０との間の通信の状態を確認するための信号を送信する。次いで、ステップＳ３０３へ進む。
【００７０】
（ステップＳ３０３）
情報処理装置２０に障害が発生して、情報処理装置２０がフリーズしてしまっているために、情報処理装置２０の制御部２２６は、紙幣処理装置１０から、紙幣処理装置１０と情報処理装置２０との間の通信の状態を確認するための信号を受信することができない。したがって、情報処理装置２０から紙幣処理装置１０に対して応答信号が送信されることはない。その結果、紙幣処理装置１０の制御部１２６は、外部インターフェース１２４を介して、情報処理装置２０からの応答信号を受信することができない。そこで、紙幣処理装置１０の制御部１２６は、紙幣処理装置１０と情報処理装置２０との間の通信の状態を確認するための信号を送信した後、所定の時間（例えば、５秒程度）経過しても応答信号が受信できない場合には、情報処理装置２０との間の通信に異常が生じたと判断する。次いで、ステップＳ３０５へ進む。
【００７１】
（ステップＳ３０５）
制御部１２６は、上記判断に基づき、紙幣処理装置１０の各機能部に処理の停止を指示する。詳細には、制御部１２６は、紙幣処理装置１０の処理部である取込部１００、搬送部１１６、鑑別部１０２、及び移送部１１２に対して、並びに、施封部１１４に対して、処理の停止を指示する。より具体的には、制御部１２６は、取込部１００に対して紙幣の取り込みの停止を指示し、搬送部１１６に対して紙幣の搬送の停止を指示し、鑑別部１０２に対して紙幣の鑑別の停止を指示し、移送部１１２に対して複数の紙幣の移送の停止を指示し、施封部１１４に対して複数の紙幣の施封と施封により形成された紙幣束の排出の停止を指示する。そして、上記指示に従い、取込部１００、搬送部１１６、鑑別部１０２、移送部１１２、及び施封部１１４は、それぞれが行う処理・動作を停止する。なお、本実施形態によれば、制御部１２６は、紙幣処理装置１０の全機能部に処理の停止を指示するのではなく、例えば、施封部１１４に対して施封と施封により作成した紙幣束の排出を指示するだけでもよく、また、搬送部１１６に対して紙幣の搬送の停止を指示するだけでもよく、特に限定されるものではない。
【００７２】
ところで、先に説明したように、従来の紙幣処理装置は、当該紙幣処理装置から排出された紙幣束を振り分ける振分装置及び当該振分装置と接続された情報処理装置からは独立して動作する。従って、当該情報処理装置において障害が生じ、当該情報処理装置が振分装置に対して振分先の指示を行うことができなくなった場合、すなわち、紙幣処理装置と情報処理装置との間の通信に異常が生じたときであっても、紙幣処理装置は、紙幣束を作成し、作成した紙幣束を排出し続ける。その結果、従来技術においては、振分装置は、情報処理装置により適切な振分先についての指示を受けることがないため、直前に指示された振分先を紙幣束の振分先として維持し、紙幣処理装置から排出された紙幣束は、振分装置によって、維持された振分先に振り分けられる。この際、紙幣束が誤った振分先に振り分けられることがあり、このことが問題となっていた。また、従来の紙幣処理装置は振分装置及び情報処理装置からは独立して動作するため、たとえ、当該情報処理装置において障害が生じたことにより振分装置の振分を停止させることができても、紙幣処理装置は、紙幣束の作成、排出を続けることとなる。その結果、振分装置の搬送路に、振分されない大量の紙幣束が溜まることとなり、情報処理装置及び振分装置が再起動された際には、大量に溜まった紙幣束が誤った振分先に振り分けられるという問題が生じることもあった。
【００７３】
しかしながら、本実施形態においては、紙幣処理装置１０は、紙幣処理システム１が動作している間、定期的に、紙幣処理装置１０と情報処理装置２０との間の通信が正常に確保されていることを確認する。もし、当該情報処理装置において障害が生じ、振分装置に対して振分先の指示を行うことができなくなった場合には、紙幣処理装置１０と情報処理装置２０との間の通信に異常が生じることから、紙幣処理装置１０は、紙幣処理装置１０と情報処理装置２０との間の通信が正常に確保されていないことを検知し、すなわち、紙幣処理装置１０と情報処理装置２０との間の通信に異常が生じたことを検知し、紙幣処理装置１０における処理を停止する。そして、処理の停止により、紙幣処理装置１０から紙幣束が排出されることはない。従って、本実施形態によれば、当該情報処理装置２０において障害が生じ、振分装置３０に対して振分先の指示を行うことができなくなくなっても、紙幣束が排出されないため、紙幣束が誤った振分先に振り分けられることを防止することができる。また、本実施形態によれば、紙幣処理装置１０から紙幣束が排出されないため、振分装置３０の搬送路３３２に振分されない大量の紙幣束が溜まることもなく、その結果、情報処理装置２０及び振分装置３０が再起動された際に大量に溜まった紙幣束が誤った振分先に振り分けられることを防止することができる。
【００７４】
なお、上述の説明においては、情報処理装置２０において障害が生じた場合を説明したが、本実施形態は、紙幣処理装置１０と情報処理装置２０との間の専用網５０において断線等のような通信が不通となる状態が生じた場合にも適用することができる。
【００７５】
＜変形例＞
上記の実施形態においては、紙幣処理装置１０と情報処理装置２０との間の通信に異常が生じた場合、紙幣処理装置１０での処理を停止していた。さらに、本実施形態の紙幣処理システム１においては、振分装置３０において異常（障害）が生じた場合も、紙幣処理装置１０での処理を停止させてもよい。このようにすることで、本変形例によれば、振分装置３０において障害が生じ、振分装置３０が紙幣束を振り分けることはできなった場合であっても、処理の停止により紙幣束は紙幣処理装置１０から排出されなくなるため、振分装置３０の搬送路３３２に振分されない大量の紙幣束が溜まることもなく、その結果、振分装置３０が再起動された際に大量に溜まった紙幣束が誤った振分先に振り分けられることを防止することができる。以下に、本実施形態の変形例として、本実施形態の紙幣処理システム１における、振分装置３０において異常（障害）が生じた場合の動作について説明する。
【００７６】
なお、以下の変形例においては、紙幣処理システム１及び紙幣処理装置１０の基本構成は、上述の実施形態と共通である。したがって、ここでは、本変形例に係る紙幣処理システム１及び紙幣処理装置１０の基本構成の説明を省略する。
【００７７】
次に、本変形例に係る紙幣処理システム１の動作例について、図１０を参照して説明する。図１０は、本変形例による紙幣処理システム１の動作の一例を示したシーケンス図である。なお、以下に説明する動作例は、振分装置３０において異常（障害）が生じたことに基づき、紙幣処理装置１０での処理を停止させる。
【００７８】
（ステップＳ４０１）
振分装置３０において紙幣束つまり等の障害が生じ、振分装置３０における振分処理が停止する。次いで、ステップＳ４０３へ進む。
【００７９】
（ステップＳ４０３）
振分装置３０の制御部３２６は、外部インターフェース３２４を介して、情報処理装置２０に対して、振分装置３０において障害が発生した旨の情報を送信する。次いで、ステップＳ４０５へ進む。
【００８０】
（ステップＳ４０５）
情報処理装置２０の制御部２２６は、外部インターフェース２２４を介して、振分装置３０から、振分装置３０において障害が発生した旨の情報を受信する。次いで、ステップＳ４０７へ進む。
【００８１】
（ステップＳ４０７）
情報処理装置２０の制御部２２６は、振分装置３０から振分装置３０において障害が発生した旨の情報を受信したことに基づき、外部インターフェース２２４を介して、紙幣処理装置１０に対して、紙幣処理装置１０での処理、排出の停止を指示する情報を送信する。すなわち、振分装置３０から受信した振分装置３０において障害が発生した旨の情報は、情報処理装置２０を介して、紙幣処理装置１０での処理、排出の停止を指示する情報でもある。なお、情報処理装置２０の制御部２２６は、紙幣処理装置１０に対して、紙幣処理装置１０での処理、排出の停止を指示する情報の代わりに、振分装置３０において障害（異常）が発生した旨を知らせる情報を送信してもよい。次いで、ステップＳ４０９へ進む。
【００８２】
（ステップＳ４０９）
紙幣処理装置１０の制御部１２６は、情報処理装置２０から紙幣処理装置１０での処理、排出の停止を指示する情報を受信する。次いで、ステップＳ４１１へ進む。
【００８３】
（ステップＳ４１１）
制御部１２６は、情報処理装置２０から紙幣処理装置１０での処理の停止を指示する情報を受信したことに基づき、紙幣処理装置１０の各機能部に処理、排出の停止を指示する。そして、上記指示に従い、紙幣処理装置１０の取込部１００、搬送部１１６、鑑別部１０２、移送部１１２、及び施封部１１４は、それぞれが行う処理・動作を停止する。
【００８４】
このように、本変形例においては、振分装置３０において異常（障害）が生じた場合に、振分装置３０は、情報処理装置２０に対して、振分装置３０から受信した振分装置３０において障害が発生した旨の情報を送信し、情報処理装置２０は、受信した振分装置３０において障害が発生した旨の情報に基づいて、紙幣処理装置１０に対して、紙幣処理装置１０での処理、排出の停止を指示する情報を送信する。従って、振分装置３０において異常（障害）が生じた場合でも、紙幣処理装置１０における処理を停止することができる。すなわち、本変形例によれば、振分装置３０において障害が生じ、振分装置３０が紙幣束を振り分けることはできなった場合には、処理の停止により紙幣束は紙幣処理装置１０から排出されなくなるため、振分装置３０の搬送路３３２に振分されない大量の紙幣束が溜まることもなく、その結果、振分装置３０が再起動された際に大量に溜まった紙幣束が誤った振分先に振り分けられることを防止することができる。
【００８５】
なお、本実施形態のさらなる変形例として、本実施形態の紙幣処理システム１は、紙幣処理装置１０において異常が生じた場合は、振分装置３０での振分処理を停止させてもよい。その場合の紙幣処理システム１の動作は、図１０の本変形例による紙幣処理システム１の動作の一例を示したシーケンス図において、紙幣処理装置１０と振分装置３０とを入れ替えた場合に対応する。
【００８６】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【００８７】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理の方法についても、必ずしも記載された方法に沿って処理されなくてもよく、例えば、他の機能部によって処理されていてもよい。
【００８８】
さらに、上記の実施形態にかかる処理の少なくとも一部は、処理プログラムとして、ソフトウェアで構成することが可能であり、ソフトウェアで構成する場合には、これらの上記処理の少なくとも一部を実現するプログラムをフレキシブルディスクやＣＤ−ＲＯＭ等の記録媒体に収納し、紙幣処理装置１０、情報処理装置２０、振分装置３０等、もしくは、これらの装置と接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、これらの処理の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【００８９】
１  紙幣処理システム
１０  紙幣処理装置
２０  情報処理装置
３０  振分装置
４０  大束作成装置
５０  専用網
１００  取込部
１０２  鑑別部
１０４  リジェクトポケット
１０６  オープンポケット
１０８  表裏反転部
１１０  集積部
１１２  移送部
１１２ａ  クランプ部
１１４  施封部
１１６  搬送部
１１８  操作表示部
１２０  操作部
１２２  記憶部
１２４、２２４、３２４  外部インターフェース部
１２６、２２６、３２６  制御部
１２８  扉
１３０  紙幣束搬送部
１３２、３３２  搬送路
１４０  テープ供給部
１４２  切断部
１４４  施封機構
１４６  印字部
１４８、１５０  ローラ
１５４  収納空間
１５６  ガイド
１５８  ビルプレス
１６４  排出口
３６０  振分部
３６２  検知部
Ｂ  紙幣束
Ｔ  テープ
【図１】
2017102507.tif 000003
【図２】
2017102507.tif 000004
【図３】
2017102507.tif 000005
【図４】
2017102507.tif 000006
【図５】
2017102507.tif 000007
【図６】
2017102507.tif 000008
【図７】
2017102507.tif 000009
【図８】
2017102507.tif 000010
【図９】
2017102507.tif 000011
【図１０】
2017102507.tif 000012